(57)【要約】  本願の実施例は、ＳＲＳ伝送において通信の柔軟性を向上させることができる無線通信方法、端末及びネットワークデバイスを提供する。該方法は、端末がネットワークデバイスにより送信されたサウンディング参照信号ＳＲＳスケジューリングシグナリングを受信することと、前記ＳＲＳスケジューリングシグナリングに基づいて、目標ＳＲＳリソースセットから目標ＳＲＳリソースを決定することと、前記目標ＳＲＳリソースにおいてＳＲＳを伝送することとを含み、前記目標ＳＲＳリソースの周期的な構成が前記ＳＲＳスケジューリングシグナリングのタイプに対応する。
2021512524.tif 000002
【特許請求の範囲】
【請求項１】
端末がネットワークデバイスにより送信されたサウンディング参照信号ＳＲＳスケジューリングシグナリングを受信することと、
前記ＳＲＳスケジューリングシグナリングに基づいて、目標ＳＲＳリソースセットから目標ＳＲＳリソースを決定することと、
前記目標ＳＲＳリソースにおいてＳＲＳを伝送することとを含み、
前記目標ＳＲＳリソースの周期的な構成が前記ＳＲＳスケジューリングシグナリングのタイプに対応する
ことを特徴とする無線通信方法。
【請求項２】
前記方法は、さらに、
前記端末が前記ネットワークデバイスにより送信された構成情報を受信することを含み、前記構成情報は、前記目標ＳＲＳリソースセットを構成するために用いられる
ことを特徴とする請求項１に記載の無線通信方法。
【請求項３】
前記端末が前記ネットワークデバイスにより送信された構成情報を受信することは、
前記端末が、前記ネットワークデバイスが無線リソース制御ＲＲＣシグナリングを介して送信した前記構成情報を受信することを含む
ことを特徴とする請求項２に記載の無線通信方法。
【請求項４】
前記目標ＳＲＳリソースセットにおいて異なるＳＲＳリソースに含まれるパラメータは、
送信電力制御パラメータ、伝送帯域幅パラメータ、アンテナポート数、１つのスロット内に占める直交周波数分割多重ＯＦＤＭシンボル数、１つのスロット内での信号繰り返し数、機能構成、伝送スロットのうちの少なくとも１つが同じである
ことを特徴とする請求項１〜３のいずれか１項に記載の無線通信方法。
【請求項５】
前記目標ＳＲＳリソースセットは、
周期的ＳＲＳ伝送のためのリソース、準持続的ＳＲＳ伝送のためのリソース、及び非周期的ＳＲＳ伝送のためのリソースのうちの少なくとも２つを含む
ことを特徴とする請求項１〜４のいずれか１項に記載の無線通信方法。
【請求項６】
前記ＳＲＳスケジューリングシグナリングは、
非周期的ＳＲＳ伝送をトリガーするためのスケジューリングシグナリング、又は、準持続的ＳＲＳ伝送を活性化するためのスケジューリングシグナリングである
ことを特徴とする請求項１〜５のいずれか１項に記載の無線通信方法。
【請求項７】
前記ＳＲＳスケジューリングシグナリングが非周期的ＳＲＳ伝送をトリガーするためのスケジューリングシグナリングである場合、前記ＳＲＳスケジューリングシグナリングが下り制御情報ＤＣＩにより搬送され、又は、
前記ＳＲＳスケジューリングシグナリングが準持続的ＳＲＳ伝送を活性化するためのスケジューリングシグナリングである場合、前記ＳＲＳスケジューリングシグナリングがメディアアクセス制御ＭＡＣ制御ユニットＣＥにより搬送される
ことを特徴とする請求項６に記載の無線通信方法。
【請求項８】
前記ＳＲＳスケジューリングシグナリングが非周期的ＳＲＳ伝送をトリガーするためのスケジューリングシグナリングである場合、前記目標ＳＲＳリソースが前記目標ＳＲＳリソースセットの非周期的ＳＲＳ伝送のためのリソースであり、又は、前記目標ＳＲＳリソースが前記目標ＳＲＳリソースセットの非周期的ＳＲＳ伝送のためのリソース及び準持続的ＳＲＳ伝送のためのリソースである
ことを特徴とする請求項１〜６のいずれか１項に記載の無線通信方法。
【請求項９】
前記目標ＳＲＳリソースにおいてＳＲＳを伝送することは、
前記目標ＳＲＳリソースにおいて非周期的ＳＲＳ伝送を行うことを含む
ことを特徴とする請求項８に記載の無線通信方法。
【請求項１０】
前記目標ＳＲＳリソースが非周期的ＳＲＳ伝送のためのリソースである場合、前記目標ＳＲＳリソースにおいてＳＲＳを伝送することは、
前記目標ＳＲＳリソースの時間領域リソースが周期的ＳＲＳ伝送のためのリソース又は準持続的ＳＲＳ伝送のためのリソースの時間領域リソースと重複し、又は、前記目標ＳＲＳリソースの時間周波数リソースが周期的ＳＲＳ伝送のためのリソース又は準持続的ＳＲＳ伝送のためのリソースの時間周波数リソースと重複する場合、前記端末が前記目標ＳＲＳリソースのパラメータ構成に応じて、重複するリソースにおいてＳＲＳ伝送を行うことを含む
ことを特徴とする請求項８に記載の無線通信方法。
【請求項１１】
前記ＳＲＳスケジューリングシグナリングが準持続的ＳＲＳ伝送を活性化するためのスケジューリングシグナリングである場合、前記目標ＳＲＳリソースが準持続的ＳＲＳ伝送のためのリソースであり、又は、前記目標ＳＲＳリソースが非周期的ＳＲＳ伝送のためのリソース及び準持続的ＳＲＳ伝送のためのリソースである
ことを特徴とする請求項１〜６のいずれか１項に記載の無線通信方法。
【請求項１２】
前記目標ＳＲＳリソースにおいてＳＲＳを伝送することは、
前記目標ＳＲＳリソースにおいて準持続的ＳＲＳ伝送を行うことを含む
ことを特徴とする請求項１１に記載の無線通信方法。
【請求項１３】
前記方法は、さらに、
前記端末が前記ネットワークデバイスにより送信された準持続的ＳＲＳ伝送の非活性化シグナリングを受信する場合、前記端末が前記目標ＳＲＳリソースにおいてＳＲＳ伝送を停止することを含む
ことを特徴とする請求項１１又は１２に記載の無線通信方法。
【請求項１４】
前記スケジューリングシグナリングは、前記目標ＳＲＳリソースセットのＳＲＳリソースを利用してＳＲＳ伝送を行うために用いられる
ことを特徴とする請求項１〜１３のいずれか１項に記載の無線通信方法。
【請求項１５】
前記スケジューリングシグナリングは、複数のＳＲＳリソースセットのＳＲＳリソースを利用してＳＲＳ伝送を行うために用いられ、前記複数のＳＲＳリソースセットは、前記目標ＳＲＳリソースセットを含む
ことを特徴とする請求項１４に記載の無線通信方法。
【請求項１６】
ネットワークデバイスが端末にサウンディング参照信号ＳＲＳスケジューリングシグナリングを送信することと、
目標ＳＲＳリソースセットから前記ネットワークデバイスが目標ＳＲＳリソースを決定することと、
前記目標ＳＲＳリソースにおいて、前記ネットワークデバイスがＳＲＳを受信することとを含み、
前記目標ＳＲＳリソースの周期的な構成が前記ＳＲＳスケジューリングシグナリングのタイプに対応する
ことを特徴とする無線通信方法。
【請求項１７】
前記方法は、さらに、
前記ネットワークデバイスが前記端末に構成情報を送信することを含み、前記構成情報は、前記目標ＳＲＳリソースセットを構成するために用いられる
ことを特徴とする請求項１６に記載の無線通信方法。
【請求項１８】
前記目標ＳＲＳリソースセットにおいて異なるＳＲＳリソースに含まれるパラメータは、
送信電力制御パラメータ、伝送帯域幅パラメータ、アンテナポート数、１つのスロット内に占める直交周波数分割多重ＯＦＤＭシンボル数、１つのスロット内での信号繰り返し数、機能構成、伝送スロットのうちの少なくとも１つが同じである
ことを特徴とする請求項１６又は１７に記載の無線通信方法。
【請求項１９】
前記目標ＳＲＳリソースセットは、
周期的ＳＲＳ伝送のためのリソース、準持続的ＳＲＳ伝送のためのリソースおよび非周期的ＳＲＳ伝送のためのリソースのうちの少なくとも２つを含む
ことを特徴とする請求項１６〜１８のいずれか１項に記載の無線通信方法。
【請求項２０】
前記ＳＲＳスケジューリングシグナリングが非周期的ＳＲＳ伝送をトリガーするためのスケジューリングシグナリングである場合、前記目標ＳＲＳリソースが前記目標ＳＲＳリソースセットの非周期的ＳＲＳ伝送のためのリソースであり、又は、前記目標ＳＲＳリソースが前記目標ＳＲＳリソースセットの非周期的ＳＲＳ伝送のためのリソース及び準持続的ＳＲＳ伝送のためのリソースである
ことを特徴とする請求項１６〜１９のいずれか１項に記載の無線通信方法。
【請求項２１】
前記ＳＲＳスケジューリングシグナリングが準持続的ＳＲＳ伝送を活性化するためのスケジューリングシグナリングである場合、前記目標ＳＲＳリソースが準持続的ＳＲＳ伝送のためのリソースであり、又は、前記目標ＳＲＳリソースが非周期的ＳＲＳ伝送のためのリソース及び準持続的ＳＲＳ伝送のためのリソースである
ことを特徴とする請求項１６〜１９のいずれか１項に記載の無線通信方法。
【請求項２２】
通信ユニットと、処理ユニットと、を備える端末であって、
前記通信ユニットは、ネットワークデバイスにより送信されたサウンディング参照信号ＳＲＳスケジューリングシグナリングを受信するように構成され、
前記処理ユニットは、前記ＳＲＳスケジューリングシグナリングに基づいて、目標ＳＲＳリソースセットから目標ＳＲＳリソースを決定するように構成され、前記目標ＳＲＳリソースの周期的な構成が前記ＳＲＳスケジューリングシグナリングのタイプに対応し、
前記通信ユニットは、さらに、前記目標ＳＲＳリソースにおいてＳＲＳを伝送するように構成される
ことを特徴とする端末。
【請求項２３】
前記通信ユニットは、さらに、前記ネットワークデバイスにより送信された構成情報を受信するように構成され、前記構成情報は、前記目標ＳＲＳリソースセットを構成するために用いられる
ことを特徴とする請求項２２に記載の端末。
【請求項２４】
前記通信ユニットは、さらに、
前記ネットワークデバイスが無線リソース制御ＲＲＣシグナリングを介して送信した前記構成情報を受信するように構成される
ことを特徴とする請求項２３に記載の端末。
【請求項２５】
前記目標ＳＲＳリソースセットにおいて異なるＳＲＳリソースに含まれるパラメータは、
送信電力制御パラメータ、伝送帯域幅パラメータ、アンテナポート数、１つのスロット内に占める直交周波数分割多重ＯＦＤＭシンボル数、１つのスロット内での信号繰り返し数、機能構成、伝送スロットのうちの少なくとも１つが同じである
ことを特徴とする請求項２２〜２４のいずれか１項に記載の端末。
【請求項２６】
前記目標ＳＲＳリソースセットは、
周期的ＳＲＳ伝送のためのリソース、準持続的ＳＲＳ伝送のためのリソースおよび非周期的ＳＲＳ伝送のためのリソースのうちの少なくとも２つを含む
ことを特徴とする請求項２２〜２５のいずれか１項に記載の端末。
【請求項２７】
前記ＳＲＳスケジューリングシグナリングは、
非周期的ＳＲＳ伝送をトリガーするためのスケジューリングシグナリング、又は、準持続的ＳＲＳ伝送を活性化するためのスケジューリングシグナリングである
ことを特徴とする請求項２２〜２６のいずれか１項に記載の端末。
【請求項２８】
前記ＳＲＳスケジューリングシグナリングが非周期的ＳＲＳ伝送をトリガーするためのスケジューリングシグナリングである場合、前記ＳＲＳスケジューリングシグナリングが下り制御情報ＤＣＩにより搬送され、又は、
前記ＳＲＳスケジューリングシグナリングが準持続的ＳＲＳ伝送を活性化するためのスケジューリングシグナリングである場合、前記ＳＲＳスケジューリングシグナリングがメディアアクセス制御ＭＡＣ制御ユニットＣＥにより搬送される
ことを特徴とする請求項２７に記載の端末。
【請求項２９】
前記ＳＲＳスケジューリングシグナリングが非周期的ＳＲＳ伝送をトリガーするためのスケジューリングシグナリングである場合、前記目標ＳＲＳリソースが前記目標ＳＲＳリソースセットの非周期的ＳＲＳ伝送のためのリソースであり、又は、前記目標ＳＲＳリソースが前記目標ＳＲＳリソースセットの非周期的ＳＲＳ伝送のためのリソース及び準持続的ＳＲＳ伝送のためのリソースである
ことを特徴とする請求項２２〜２７のいずれか１項に記載の端末。
【請求項３０】
前記通信ユニットは、さらに、
前記目標ＳＲＳリソースにおいて非周期的ＳＲＳ伝送を行うように構成される
ことを特徴とする請求項２９に記載の端末。
【請求項３１】
前記目標ＳＲＳリソースが非周期的ＳＲＳ伝送のためのリソースである場合、前記目標ＳＲＳリソースにおいてＳＲＳを伝送することは、
前記目標ＳＲＳリソースの時間領域リソースが周期的ＳＲＳ伝送のためのリソース又は準持続的ＳＲＳ伝送のためのリソースの時間領域リソースと重複し、又は、前記目標ＳＲＳリソースの時間周波数リソースが周期的ＳＲＳ伝送のためのリソース又は準持続的ＳＲＳ伝送のためのリソースの時間周波数リソースと重複する場合、前記端末が前記目標ＳＲＳリソースのパラメータ構成に応じて、重複するリソースにおいてＳＲＳ伝送を行うことを含む
ことを特徴とする請求項２９に記載の端末。
【請求項３２】
前記ＳＲＳスケジューリングシグナリングが準持続的ＳＲＳ伝送を活性化するためのスケジューリングシグナリングである場合、前記目標ＳＲＳリソースが準持続的ＳＲＳ伝送のためのリソースであり、又は、前記目標ＳＲＳリソースが非周期的ＳＲＳ伝送のためのリソース及び準持続的ＳＲＳ伝送のためのリソースである
ことを特徴とする請求項２２〜２７のいずれか１項に記載の端末。
【請求項３３】
前記通信ユニットは、さらに、
前記目標ＳＲＳリソースにおいて準持続的ＳＲＳ伝送を行うように構成される
ことを特徴とする請求項３２に記載の端末。
【請求項３４】
前記通信ユニットは、さらに、
前記ネットワークデバイスにより送信された準持続的ＳＲＳ伝送の非活性化シグナリングを受信した場合、前記目標ＳＲＳリソースにおいてＳＲＳ伝送を停止するように構成される
ことを特徴とする請求項３２又は３３に記載の端末。
【請求項３５】
前記スケジューリングシグナリングは、前記目標ＳＲＳリソースセットのＳＲＳリソースを利用してＳＲＳ伝送を行うために用いられる
ことを特徴とする請求項２２〜３４のいずれか１項に記載の端末。
【請求項３６】
前記スケジューリングシグナリングは、複数のＳＲＳリソースセットのＳＲＳリソースを利用してＳＲＳ伝送を行うために用いられ、前記複数のＳＲＳリソースセットは、前記目標ＳＲＳリソースセットを含む
ことを特徴とする請求項３５に記載の端末。
【請求項３７】
通信ユニットと、処理ユニットと、を備えるネットワークデバイスであって、
前記通信ユニットは、端末にサウンディング参照信号ＳＲＳスケジューリングシグナリングを送信するように構成され、
前記処理ユニットは、目標ＳＲＳリソースセットから目標ＳＲＳリソースを決定するように構成され、前記目標ＳＲＳリソースの周期的な構成が前記ＳＲＳスケジューリングシグナリングのタイプに対応し、
前記通信ユニットは、さらに、前記目標ＳＲＳリソースにおいてＳＲＳを受信するように構成される
ことを特徴とするネットワークデバイス。
【請求項３８】
前記通信ユニットは、さらに、
前記端末に構成情報を送信するように構成され、前記構成情報は、前記目標ＳＲＳリソースセットを構成するために用いられる
ことを特徴とする請求項３７に記載のネットワークデバイス。
【請求項３９】
前記目標ＳＲＳリソースセットにおいて異なるＳＲＳリソースに含まれるパラメータは、
送信電力制御パラメータ、伝送帯域幅パラメータ、アンテナポート数、１つのスロット内に占める直交周波数分割多重ＯＦＤＭシンボル数、１つのスロット内での信号繰り返し数、機能構成、伝送スロットのうちの少なくとも１つが同じである
ことを特徴とする請求項３７又は３８に記載のネットワークデバイス。
【請求項４０】
前記目標ＳＲＳリソースセットは、
周期的ＳＲＳ伝送のためのリソース、準持続的ＳＲＳ伝送のためのリソースおよび非周期的ＳＲＳ伝送のためのリソースのうちの少なくとも２つを含む
ことを特徴とする請求項３７〜３９のいずれか１項に記載のネットワークデバイス。
【請求項４１】
前記ＳＲＳスケジューリングシグナリングが非周期的ＳＲＳ伝送をトリガーするためのスケジューリングシグナリングである場合、前記目標ＳＲＳリソースが前記目標ＳＲＳリソースセットの非周期的ＳＲＳ伝送のためのリソースであり、又は、前記目標ＳＲＳリソースが前記目標ＳＲＳリソースセットの非周期的ＳＲＳ伝送のためのリソース及び準持続的ＳＲＳ伝送のためのリソースである
ことを特徴とする請求項３７〜４０のいずれか１項に記載のネットワークデバイス。
【請求項４２】
前記ＳＲＳスケジューリングシグナリングが準持続的ＳＲＳ伝送を活性化するためのスケジューリングシグナリングである場合、前記目標ＳＲＳリソースが準持続的ＳＲＳ伝送のためのリソースであり、又は、前記目標ＳＲＳリソースが非周期的ＳＲＳ伝送のためのリソース及び準持続的ＳＲＳ伝送のためのリソースである
ことを特徴とする請求項３７〜４０のいずれか１項に記載のネットワークデバイス。
【発明の詳細な説明】
【技術分野】
【０００１】
本願は、通信分野に関し、具体的に、無線通信方法、端末及びネットワークデバイスに関する。
【背景技術】
【０００２】
新しいラジオ(  Ｎｅｗ  Ｒａｄｉｏ、ＮＲ  )システムでは、端末は、ネットワークデバイスにサウンディング参照信号(  Ｓｏｕｎｄｉｎｇ  Ｒｅｆｅｒｅｎｃｅ  Ｓｉｇｎａｌ、ＳＲＳ  )を送信することができ、ネットワークデバイスは、このＳＲＳに基づいて、たとえば、ビーム管理を行い、チャネル状態情報(  Ｃｈａｎｎｅｌ  Ｓｔａｔｅ  Ｉｎｆｏｒｍａｔｉｏｎ、ＣＳＩ  )を取得することなどの様々な用途を実施することができる。
【０００３】
ＮＲシステムでは、通信の柔軟性に対する要求が高い。
【０００４】
したがって、ＳＲＳ伝送において、どのように通信の柔軟性を向上させるかが、解決すべき課題である。
【発明の概要】
【０００５】
本願の実施例は、ＳＲＳ伝送において通信の柔軟性を向上させることができる無線通信方法及びデバイスを提供する。
【０００６】
第１の態様は、無線通信方法を提供し、
端末がネットワークデバイスにより送信されたサウンディング参照信号ＳＲＳスケジューリングシグナリングを受信することと、
前記ＳＲＳスケジューリングシグナリングに基づいて、目標ＳＲＳリソースセットから目標ＳＲＳリソースを決定することと、
前記目標ＳＲＳリソースにおいてＳＲＳを伝送することとを含み、
前記目標ＳＲＳリソースの周期的な構成が前記ＳＲＳスケジューリングシグナリングのタイプに対応する。
【０００７】
第１の態様と結合し、第１の態様の実現可能な方式において、前記方法は、さらに、
前記端末が前記ネットワークデバイスにより送信された構成情報を受信することを含み、前記構成情報は、前記目標ＳＲＳリソースセットを構成するために用いられる。
【０００８】
第１の態様又は上記の実現可能な方式と結合し、第１の態様の他の実現可能な方式において、前記端末が前記ネットワークデバイスにより送信された構成情報を受信することは、
前記端末が、前記ネットワークデバイスが無線リソース制御ＲＲＣシグナリングを介して送信した前記構成情報を受信することを含む。
【０００９】
第１の態様又は上記の実現可能な方式と結合し、第１の態様の他の実現可能な方式において、前記目標ＳＲＳリソースセットにおいて異なるＳＲＳリソースに含まれるパラメータは、
送信電力制御パラメータ、伝送帯域幅パラメータ、アンテナポート数、１つのスロット内に占める直交周波数分割多重ＯＦＤＭシンボル数、１つのスロット内での信号繰り返し数、機能構成、伝送スロットのうちの少なくとも１つが同じである。
【００１０】
第１の態様又は上記の実現可能な方式と結合し、第１の態様の他の実現可能な方式において、前記目標ＳＲＳリソースセットは、
周期的ＳＲＳ伝送のためのリソース、準持続的ＳＲＳ伝送のためのリソースおよび非周期的ＳＲＳ伝送のためのリソースのうちの少なくとも２つを含む。
【００１１】
第１の態様又は上記の実現可能な方式と結合し、第１の態様の他の実現可能な方式において、前記ＳＲＳスケジューリングシグナリングは、
非周期的ＳＲＳ伝送をトリガーするためのスケジューリングシグナリング、又は、準持続的ＳＲＳ伝送を活性化するためのスケジューリングシグナリングである。
【００１２】
第１の態様又は上記の実現可能な方式と結合し、第１の態様の他の実現可能な方式において、前記ＳＲＳスケジューリングシグナリングが非周期的ＳＲＳ伝送をトリガーするためのスケジューリングシグナリングである場合、前記ＳＲＳスケジューリングシグナリングが下り制御情報ＤＣＩにより搬送され、又は、
前記ＳＲＳスケジューリングシグナリングが準持続的ＳＲＳ伝送を活性化するためのスケジューリングシグナリングである場合、前記ＳＲＳスケジューリングシグナリングがメディアアクセス制御ＭＡＣ制御ユニットＣＥにより搬送される。
【００１３】
第１の態様又は上記の実現可能な方式と結合し、第１の態様の他の実現可能な方式において、前記ＳＲＳスケジューリングシグナリングが非周期的ＳＲＳ伝送をトリガーするためのスケジューリングシグナリングである場合、前記目標ＳＲＳリソースが前記目標ＳＲＳリソースセットの非周期的ＳＲＳ伝送のためのリソースであり、又は、前記目標ＳＲＳリソースが前記目標ＳＲＳリソースセットの非周期的ＳＲＳ伝送のためのリソース及び準持続的ＳＲＳ伝送のためのリソースである。
【００１４】
第１の態様又は上記の実現可能な方式と結合し、第１の態様の他の実現可能な方式において、前記目標ＳＲＳリソースにおいてＳＲＳを伝送することは、
前記目標ＳＲＳリソースにおいて非周期的ＳＲＳ伝送を行うことを含む。
【００１５】
第１の態様又は上記の実現可能な方式と結合し、第１の態様の他の実現可能な方式において、前記目標ＳＲＳリソースが非周期的ＳＲＳ伝送のためのリソースである場合、前記目標ＳＲＳリソースにおいてＳＲＳを伝送することは、
前記目標ＳＲＳリソースの時間領域リソースが周期的ＳＲＳ伝送のためのリソース又は準持続的ＳＲＳ伝送のためのリソースの時間領域リソースと重複し、又は、前記目標ＳＲＳリソースの時間周波数リソースが周期的ＳＲＳ伝送のためのリソース又は準持続的ＳＲＳ伝送のためのリソースの時間周波数リソースと重複する場合、前記端末が前記目標ＳＲＳリソースのパラメータ構成に応じて、重複するリソースにおいてＳＲＳ伝送を行うことを含む。
【００１６】
第１の態様又は上記の実現可能な方式と結合し、第１の態様の他の実現可能な方式において、前記ＳＲＳスケジューリングシグナリングが準持続的ＳＲＳ伝送を活性化するためのスケジューリングシグナリングである場合、前記目標ＳＲＳリソースが準持続的ＳＲＳ伝送のためのリソースであり、又は、前記目標ＳＲＳリソースが非周期的ＳＲＳ伝送のためのリソース及び準持続的ＳＲＳ伝送のためのリソースである。
【００１７】
第１の態様又は上記の実現可能な方式と結合し、第１の態様の他の実現可能な方式において、前記目標ＳＲＳリソースにおいてＳＲＳを伝送することは、
前記目標ＳＲＳリソースにおいて準持続的ＳＲＳ伝送を行うことを含む。
【００１８】
第１の態様又は上記の実現可能な方式と結合し、第１の態様の他の実現可能な方式において、前記方法は、さらに、
前記端末が前記ネットワークデバイスにより送信された準持続的ＳＲＳ伝送の非活性化シグナリングを受信する場合、前記端末が前記目標ＳＲＳリソースにおいてＳＲＳ伝送を停止することを含む。
【００１９】
第１の態様又は上記の実現可能な方式と結合し、第１の態様の他の実現可能な方式において、前記スケジューリングシグナリングは、前記目標ＳＲＳリソースセットのＳＲＳリソースを利用してＳＲＳ伝送を行うために用いられる。
【００２０】
第１の態様又は上記の実現可能な方式と結合し、第１の態様の他の実現可能な方式において、前記スケジューリングシグナリングは、複数のＳＲＳリソースセットのＳＲＳリソースを利用してＳＲＳ伝送を行うために用いられ、前記複数のＳＲＳリソースセットは、前記目標ＳＲＳリソースセットを含む。
【００２１】
第２の態様は、無線通信方法を提供し、
ネットワークデバイスが端末にサウンディング参照信号ＳＲＳスケジューリングシグナリングを送信することと、
目標ＳＲＳリソースセットから前記ネットワークデバイスが目標ＳＲＳリソースを決定することと、
前記目標ＳＲＳリソースにおいて、前記ネットワークデバイスがＳＲＳを受信することとを含み、
前記目標ＳＲＳリソースの周期的な構成が前記ＳＲＳスケジューリングシグナリングのタイプに対応する。
【００２２】
第２の態様と結合し、第２の態様の実現可能な方式において、前記方法は、さらに、
前記ネットワークデバイスが前記端末に構成情報を送信することを含み、前記構成情報は、前記目標ＳＲＳリソースセットを構成するために用いられる。
【００２３】
第２の態様又は上記の実現可能な方式と結合し、第２の態様の他の実現可能な方式において、前記目標ＳＲＳリソースセットにおいて異なるＳＲＳリソースに含まれるパラメータは、
送信電力制御パラメータ、伝送帯域幅パラメータ、アンテナポート数、１つのスロット内に占める直交周波数分割多重ＯＦＤＭシンボル数、１つのスロット内での信号繰り返し数、機能構成、伝送スロットのうちの少なくとも１つが同じである。
【００２４】
第２の態様又は上記の実現可能な方式と結合し、第２の態様の他の実現可能な方式において、前記目標ＳＲＳリソースセットは、
周期的ＳＲＳ伝送のためのリソース、準持続的ＳＲＳ伝送のためのリソースおよび非周期的ＳＲＳ伝送のためのリソースのうちの少なくとも２つを含む。
【００２５】
第２の態様又は上記の実現可能な方式と結合し、第２の態様の他の実現可能な方式において、前記ＳＲＳスケジューリングシグナリングが非周期的ＳＲＳ伝送をトリガーするためのスケジューリングシグナリングである場合、前記目標ＳＲＳリソースが前記目標ＳＲＳリソースセットの非周期的ＳＲＳ伝送のためのリソースであり、又は、前記目標ＳＲＳリソースが前記目標ＳＲＳリソースセットの非周期的ＳＲＳ伝送のためのリソース及び準持続的ＳＲＳ伝送のためのリソースである。
【００２６】
第２の態様又は上記の実現可能な方式と結合し、第２の態様の他の実現可能な方式において、前記ＳＲＳスケジューリングシグナリングが準持続的ＳＲＳ伝送を活性化するためのスケジューリングシグナリングである場合、前記目標ＳＲＳリソースが準持続的ＳＲＳ伝送のためのリソースであり、又は、前記目標ＳＲＳリソースが非周期的ＳＲＳ伝送のためのリソース及び準持続的ＳＲＳ伝送のためのリソースである。
【００２７】
第３の態様は、上記の第１の態様または第１の態様の任意の可能な実装における方法を実行するための端末を提供する。具体的には、この端末は、上記の第１の態様または第１の態様の任意の可能な実装形態における方法を実行するためのユニットを含む。
【００２８】
第４の態様は、上記の第２の態様または第２の態様の任意の可能な実装における方法を実行するためのネットワークデバイスを提供する。具体的には、このネットワークデバイスは、上記の第２の態様または第２の態様の任意の可能な実装形態における方法を実行するためのユニットを含む。
【００２９】
第５の態様は、メモリと、プロセッサと、入力インタフェースと、出力インタフェースとを有する端末を提供する。メモリ、プロセッサ、入力インタフェース、出力インタフェースは、バスシステムを介して接続される。このメモリは、命令を記憶するために使用され、このプロセッサは、このメモリに記憶された命令を実行して、第１の態様または第１の態様の任意の可能な実装形態において、方法を実行するために使用される。
【００３０】
第６の態様は、メモリと、プロセッサと、入力インタフェースと、出力インタフェースとを備えるネットワークデバイスである。メモリ、プロセッサ、入力インタフェース、出力インタフェースは、バスシステムを介して接続される。このメモリは、命令を記憶するために使用され、このプロセッサは、メモリに記憶された命令を実行して、第２の態様または第２の態様の任意の可能な実装形態における方法を実行するために使用される。
【００３１】
第７の態様は、上記の態様のいずれかまたは上記の態様の可能な実施のいずれかを実行するための方法を実行するためのコンピュータソフトウェア命令を記憶するためのコンピュータ記憶媒体を提供し、上記の態様を実行するように設計されたプログラムを含む。
【００３２】
第８の態様は、命令を備えるコンピュータプログラム製品を提供し、コンピュータ上で実行されると、コンピュータに、上述の態様のいずれかまたはいずれかの任意の実施態様における方法を実行させる。
【００３３】
このように、本発明の実施例では、ＳＲＳリソースセットから選択されたＳＲＳ伝送の目標ＳＲＳリソースの周期的な構成が前記ＳＲＳスケジューリングシグナリングのタイプに対応することによって、１つのＳＲＳリソースセットで異なる周期的ＳＲＳ信号の伝送を柔軟にサポートできるようにすることができる。
【図面の簡単な説明】
【００３４】
【図１】本願の実施例における無線通信システムの模式図である。
【図２】本願の実施例における無線通信方法のフローチャートである。
【図３】本願の実施例における端末のブロックである。
【図４】本願の実施例におけるネットワークデバイスのブロックである。
【図５】本願の実施例におけるシステムチップのブロックである。
【図６】本願の実施例における通信デバイスのブロックである。
【発明を実施するための形態】
【００３５】
以下、本願の実施例における技術案について、本願の実施例における図面を参照して説明する。
【００３６】
本願実施例の技術は、様々な通信システムに適用可能であり、例えば、Ｇｌｏｂａｌ  Ｓｙｓｔｅｍ  ｏｆ  Ｍｏｂｉｌｅ  Ｃｏｍｍｕｎｉｃａｔｉｏｎ  (  ＧＳＭ  )方式、Ｃｏｄｅ  Ｄｉｖｉｓｉｏｎ  Ｍｕｌｔｉｐｌｅ  Ａｃｃｅｓｓ  (  ＣＤＭＡ  )方式、Ｗｉｄｅｂａｎｄ  Ｃｏｄｅ  Ｄｉｖｉｓｉｏｎ  Ｍｕｌｔｉｐｌｅ  Ａｃｃｅｓｓ  (  ＷＣＤＭＡ  )方式、Ｇｅｎｅｒａｌ  Ｐａｃｋｅｔ  Ｒａｄｉｏ  Ｓｅｒｖｉｃｅ  (  ＧＰＲＳ  )方式、Ｌｏｎｇ  Ｔｅｒｍ  Ｅｖｏｌｕｔｉｏｎ  (  ＬＴＥ  )方式、Ｆｒｅｑｕｅｎｃｙ  Ｄｉｖｉｓｉｏｎ  Ｄｕｐｌｅｘ  (  ＦＤＤ  )方式、Ｔｉｍｅ  Ｄｉｖｉｓｉｏｎ  Ｄｕｐｌｅｘ  (  ＴＤＤ  )方式、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  (  ＵＭＴＳ  )方式、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ  （  ＷｉＭＡＸ  )方式、将来の５Ｇ方式等の移動通信システム、あるいは、これらを組み合わせた通信システム等に適用することができる。
【００３７】
無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局(  Ｂａｓｅ  Ｔｒａｎｓｃｅｉｖｅｒ  Ｓｔａｔｉｏｎ、ＢＴＳ  )、ＷＣＤＭＡシステムにおける基地局(  ＮｏｄｅＢ、ＮＢ  )、ＬＴＥシステムにおける発展型基地局(  Ｅｖｏｌｕｔｉｏｎａｌ  Ｎｏｄｅ  Ｂ、ｅＮＢ、又はｅＮｏｄｅＢ  )、またはクラウド無線アクセスネットワーク(  Ｃｌｏｕｄ  Ｒａｄｉｏ  Ａｃｃｅｓｓ  Ｎｅｔｗｏｒｋ、ＣＲＡＮ  )における無線コントローラであってもよく、または中継局、アクセスポイント、車載装置、ウェアラブル装置、将来の５Ｇネットワークにおけるネットワーク側装置、または将来の公衆地上モバイルネットワーク(  Ｐｕｂｌｉｃ  Ｌａｎｄ  Ｍｏｂｉｌｅ  Ｎｅｔｗｏｒｋ、ＰＬＭＮ  )におけるネットワークデバイスなどであってもよい。
【００３８】
無線通信システム１００は、ネットワークデバイス１１０のカバレージ内に配置された少なくとも１つの端末デバイス１２０をさらに含む。端末デバイス１２０は、移動型であってもよく、固定型であってもよい。任意選択で、端末デバイス１２０は、アクセス端末、ユーザ機器(  Ｕｓｅｒ  Ｅｑｕｉｐｍｅｎｔ、ＵＥ  )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル(  Ｓｅｓｓｉｏｎ  Ｉｎｉｔｉａｔｉｏｎ  Ｐｒｏｔｏｃｏｌ、ＳＩＰ  )電話、ワイヤレスローカルループ(  Ｗｉｒｅｌｅｓｓ  Ｌｏｃａｌ  Ｌｏｏｐ、ＷＬＬ  )局、パーソナルデジタル処理(  Ｐｅｒｓｏｎａｌ  Ｄｉｇｉｔａｌ  Ａｓｓｉｓｔａｎｔ、ＰＤＡ  )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００３９】
任意選択で、端末デバイス１２０間の端末直接接続(  Ｄｅｖｉｃｅ  ｔｏ  Ｄｅｖｉｃｅ、Ｄ２Ｄ  )通信が行われてもよい。
【００４０】
任意選択で、５Ｇシステム又はネットワークは、新たなラジオ(  Ｎｅｗ  Ｒａｄｉｏ、ＮＲ  )システム又はネットワークと呼ばれることもある。
【００４１】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施形態は、これに限定されない。
【００４２】
無線通信システム１００において、端末デバイスは、上りデータ伝送用の１以上のアンテナアレイブロックを有し、各アンテナアレイブロックは独立した無線周波数チャネルを有する。一つの復調参照信号(  Ｄｅｍｏｄｕｌａｔｉｏｎ  Ｒｅｆｅｒｅｎｃｅ  Ｓｉｇｎａｌ、略称「ＤＭＲＳ」)ポートグループが一つのアンテナアレイブロックに対応し、端末デバイスは、一つのアンテナアレイブロックの伝送パラメータを決定した後、該アンテナアレイブロック上で、対応するＤＭＲＳポートグループのデータを伝送することができる。
【００４３】
任意選択で、この無線通信システム１００は、ネットワークコントローラ、モビリティ管理エンティティなどの他のネットワークエンティティをさらに含むことができ、本願の実施例はこれに限定されない。
【００４４】
なお、本明細書において、「システム」および「ネットワーク」という用語は、しばしば、本明細書において交換可能に使用される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００４５】
図２は本願の実施例における無線通信方法２００のフローチャートである。この方法２００は、以下の内容を含む。
【００４６】
２１０において、ネットワークデバイスが端末にＳＲＳスケジューリングシグナリングを送信する。
【００４７】
任意選択で、このＳＲＳスケジューリングシグナリングは、非周期的ＳＲＳ(Ａｐｅｒｉｏｄｉｃ  ＳＲＳ)伝送をトリガーするスケジューリングシグナリング、または準持続性的ＳＲＳ  (  Ｓｅｍｉ-ｐｅｒｓｉｓｔｅｎｔ  ＳＲＳ  )伝送を活性化するスケジューリングシグナリングのタイプである。
【００４８】
ここで、非周期的ＳＲＳ送信とは、端末がＳＲＳスケジューリングシグナリングを受信した場合、１つのスロット内で非周期的ＳＲＳ伝送を行うことができることを意味する。
【００４９】
準持続的ＳＲＳ伝送は、端末がＳＲＳスケジューリングシグナリングを受信した後、対応する非活性化シグナリングを受信するまで、ＳＲＳ伝送を周期的に行うことができることを意味する。
【００５０】
非周期的ＳＲＳ伝送及び準持続的ＳＲＳ伝送に加えて、本発明の実施例に係るＳＲＳ伝送は、周期的ＳＲＳ伝送であってもよく、すなわち、端末は、周期的ＳＲＳリソース上で周期的ＳＲＳ伝送を行うことができ、スケジューリングシグナリングの活性化又はトリガーする必要がない。
【００５１】
任意選択で、ＳＲＳスケジューリングシグナリングが非周期的ＳＲＳ伝送をトリガするためのスケジューリングシグナリングである場合、ＳＲＳスケジューリングシグナリングは、下り制御情報(  Ｄｏｗｎｌｉｎｋ  Ｃｏｎｔｒｏｌ  Ｉｎｆｏｒｍａｔｉｏｎ、ＤＣＩ  )によって搬送され、または、ＳＲＳスケジューリングシグナリングが、準持続性ＳＲＳ伝送を活性化するためのスケジューリングシグナリングである場合、ＳＲＳスケジューリングシグナリングは、メディアアクセス制御(  Ｍｅｄｉａ  Ａｃｃｅｓｓ  Ｃｏｎｔｒｏｌ、ＭＡＣ  )制御ユニット(  Ｃｏｎｔｒｏｌ  Ｅｌｅｍｅｎｔ、ＣＥ  )によって搬送される。
【００５２】
２２０において、端末がネットワークデバイスにより送信されたＳＲＳスケジューリングシグナリングを受信する。
【００５３】
２３０において、端末は、ＳＲＳスケジューリングシグナリングに基づいて、目標ＳＲＳリソースセットから目標ＳＲＳリソースを決定し、目標ＳＲＳリソースの周期的な構成がＳＲＳスケジューリングシグナリングのタイプに対応する。
【００５４】
任意選択で、ネットワークデバイスが端末に構成情報を送信し、該構成情報は、目標ＳＲＳリソースセットを構成し、端末がネットワークデバイスにより送信された該構成情報を受信して、目標ＳＲＳリソースセットの構成を決定することができる。
【００５５】
任意選択で、ネットワークデバイスが無線リソース制御（Ｒａｄｉｏ  Ｒｅｓｏｕｒｃｅ  Ｃｏｎｔｒｏｌ、ＲＲＣ）シグナリングを介して該構成情報を送信する。
【００５６】
なお、本願の実施例におけるＳＲＳリソースセットは端末に予め設定されてもよく、他の方式で端末に構成されてもよい。
【００５７】
任意選択で、目標ＳＲＳリソースセットは、周期的ＳＲＳ伝送のためのリソース、準持続的ＳＲＳ伝送のためのリソースおよび非周期的ＳＲＳ伝送のためのリソースのうちの少なくとも２つを含む。
【００５８】
具体的に、ＳＲＳリソースセットのＳＲＳリソースは、異なる時間領域構成を有し、例えば、一部のリソースが周期的ＳＲＳリソースであり、一部のリソースが準連続的ＳＲＳリソースであり、一部のリソースが非周期的ＳＲＳリソースである。
【００５９】
さらに、ネットワーク側は、ＳＲＳリソースセット内の異なるＳＲＳリソースに対し、それぞれの周期的な構成を独立して指示することができるため、異なるＳＲＳリソースの周期的な構成は同一であってもよく、異なっていてもよい。
【００６０】
例えば、ＳＲＳリソースセットは４つのＳＲＳリソースを含み、そのうち１つは周期的なＳＲＳリソースであり、１つは準持続的なＳＲＳリソースであり、２つは非周期的なＳＲＳリソースである。
【００６１】
ここで、異なる周期的に構成されたＳＲＳリソースは、一部が重複してもよく、全部が重複してもよい。
【００６２】
任意選択で、本願の実施例で記載されたＳＲＳリソースセットの中の各ＳＲＳリソースは、それぞれ、他のＳＲＳリソースと比較して独立した構成パラメータ、例えば、独立したＳＲＳ送信周期、独立したＳＲＳトリガーモード、独立した送信ビーム、またはＳＲＳの送信がトリガーされるときの独立したＳＲＳ送信回数などを有することができる。
【００６３】
任意選択で、目標ＳＲＳリソースセットにおいて異なるＳＲＳリソースのパラメータは、
送信電力制御パラメータ、伝送帯域幅パラメータ、アンテナポート数、１つのスロット内に占める直交周波数分割多重(  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ  )シンボル数、１つのスロット内での信号繰り返し数、機能構成、伝送スロットのうちの少なくとも１つが同じである。
【００６４】
任意選択で、目標ＳＲＳリソースセットは、ＳＲＳリソースの少なくとも１つのパラメータが同じになるように２つの方法で構成されてもよい。
【００６５】
ある実現方式において、ネットワークデバイスは、ＳＲＳリソースのセットに対して上記の少なくとも１つのパラメータを構成し、セット内の全てのＳＲＳリソースは、少なくとも１つのパラメータを採用し、すなわち、前記少なくとも１つのパラメータは、各セットに対して別々に構成される。  
他の実現方式において、ネットワークデバイスは、ＳＲＳリソースセットの中の各ＳＲＳリソースに対する前述した少なくとも１つのパラメータをそれぞれ構成するが、異なるＳＲＳリソースに構成された前述したパラメータは同一である。
【００６６】
ここで、本発明の実施例で記載された伝送帯域幅パラメータは、ＳＲＳ周波数領域ホッピング構成パラメータなどを含むことができる。
【００６７】
本願の実施例で記載された機能的構成は、ＳＲＳリソースの適用シーン(用途)を示すことができ、例えば、ビーム管理、CSIの取得、アンテナ切り替え、コードブックに基づくプリコーディング、非コードブックに基づくプリコーディングなどを含むが、これらに限定されない。
【００６８】
本発明の実施例で記載されたＳＲＳリソースセットの中で異なるＳＲＳリソースの伝送スロットが同一であるということは、ＳＲＳリソースセットが一つの伝送周期内で同一のスロットのみを占有し、複数のスロットを占有しないことを意味することができ、例えば、ＳＲＳリソースセットの中のＳＲＳリソースが同一の伝送周期及びスロットオフセットを使用する。
【００６９】
任意選択で、本願の実施例におけるＳＲＳスケジューリングシグナリングは、目標ＳＲＳリソースセットのＳＲＳリソースを利用してＳＲＳ伝送を行うように示すために用いられる。
【００７０】
任意選択で、スケジューリングシグナリングは、複数のＳＲＳリソースセットのＳＲＳリソースを利用してＳＲＳ伝送を行うように指示するために用いられ、複数のＳＲＳリソースセットが該目標ＳＲＳリソースセットを含む。
【００７１】
具体的に、前記ＳＲＳスケジューリングシグナリングは、少なくとも１つのＳＲＳリソースセット上の非周期的ＳＲＳ伝送をトリガーすることができ、前記少なくとも１つのＳＲＳリソースセットが該目標ＳＲＳリソースセットを含む。又は、前記ＳＲＳスケジューリングシグナリングは、少なくとも１つのＳＲＳリソースセット上の準持続的ＳＲＳ伝送を活性化するように指示し、前記少なくとも１つのＳＲＳリソースセットが該目標ＳＲＳリソースセットを含む。
【００７２】
例えば、前記ＳＲＳスケジューリングシグナリングは、活性化シグナリングであり、４ビットを含み、各ビットは、１つのＳＲＳリソースセットに対応し、活性化されたＳＲＳリソースセットをビットマップ（ｂｉｔｍａｐ）方式で示す。
【００７３】
例えば、前記ＳＲＳスケジューリングシグナリングは、２つのＤＣＩビットを含むトリガーシグナリングであり、そのうち、１ビットの異なる指示値は、異なるＳＲＳリソースセットをトリガーするために使用され、他の１ビットの異なる指示値は、非周期的ＳＲＳ送信をトリガーするか又はトリガーしないかを指示するために使用される。
【００７４】
任意選択で、ＳＲＳスケジューリングシグナリングが非周期的ＳＲＳ伝送をトリガーするためのスケジューリングシグナリングである場合、目標ＳＲＳリソースが目標ＳＲＳリソースセットの非周期的ＳＲＳ伝送のためのリソースである。
【００７５】
具体的に、端末が受信したＳＲＳスケジューリングシグナリングが非周期的ＳＲＳ伝送をトリガーする場合、目標ＳＲＳリソースセットから、非周期的ＳＲＳ伝送のためのリソースを目標ＳＲＳリソースとして構成し、非周期的ＳＲＳ伝送を実現する。
【００７６】
任意選択で、ＳＲＳスケジューリングシグナリングが非周期的ＳＲＳ伝送をトリガーするためのスケジューリングシグナリングである場合、目標ＳＲＳリソースが目標ＳＲＳリソースセットの非周期的ＳＲＳ伝送のためのリソース及び準持続的ＳＲＳ伝送のためのリソースである。
【００７７】
具体的に、端末が受信したＳＲＳスケジューリングシグナリングが非周期的ＳＲＳ伝送をトリガーする場合、目標ＳＲＳリソースセットから、非周期的ＳＲＳ伝送のためのリソース及び準持続的ＳＲＳ伝送のためのリソースを目標ＳＲＳリソースとして構成し、非周期的ＳＲＳ伝送を実現する。
【００７８】
任意選択で、ＳＲＳスケジューリングシグナリングが準持続的ＳＲＳ伝送を活性化するためのスケジューリングシグナリングである場合、目標ＳＲＳリソースが準持続的ＳＲＳ伝送のためのリソースである。
【００７９】
具体的に、端末が受信したＳＲＳスケジューリングシグナリングが準持続的ＳＲＳ伝送を活性化する場合、目標ＳＲＳリソースセットから、準持続的ＳＲＳ伝送のためのリソースを目標ＳＲＳリソースとして構成し、準持続的ＳＲＳ伝送を実現する。
【００８０】
任意選択で、ＳＲＳスケジューリングシグナリングが準持続的ＳＲＳ伝送を活性化するためのスケジューリングシグナリングである場合、目標ＳＲＳリソースが非周期的ＳＲＳ伝送のためのリソース及び準持続的ＳＲＳ伝送のためのリソースである。
【００８１】
具体的に、端末が受信したＳＲＳスケジューリングシグナリングが準持続的ＳＲＳ伝送を活性化する場合、目標ＳＲＳリソースセットから、非周期的ＳＲＳ伝送のためのリソース及び準持続的ＳＲＳ伝送のためのリソースを目標ＳＲＳリソースとして構成し、準持続的ＳＲＳ伝送を実現する。
【００８２】
２４０において、目標ＳＲＳリソースにおいて、端末がＳＲＳを伝送する。
【００８３】
任意選択で、ＳＲＳスケジューリングシグナリングが非周期的ＳＲＳ伝送をトリガーする場合、目標ＳＲＳリソースにおいて、非周期的ＳＲＳ伝送を行う。
【００８４】
例えば、前記ＳＲＳリソースセットが４つのＳＲＳリソースを含み、そのうちの２つのＳＲＳリソースの周期性が非周期性に構成される場合、端末は、２つのＳＲＳリソース上でトリガーシグナリングに対応するＳＲＳを送信する。
【００８５】
任意選択で、目標ＳＲＳリソースが非周期的ＳＲＳ伝送のためのリソースであり、目標ＳＲＳリソースにおいて、目標ＳＲＳリソースの時間領域リソースと周期的ＳＲＳ伝送のためのリソース又は準持続的ＳＲＳ伝送のためのリソースの時間領域リソースと重複し、又は、目標ＳＲＳリソースの時間周波数リソースが周期的ＳＲＳ伝送のためのリソース又は準持続的ＳＲＳ伝送のためのリソースの時間周波数リソースと重複する場合、端末は、目標ＳＲＳリソースのパラメータ構成に応じて、重複するリソースにおいてＳＲＳ伝送を行う。
【００８６】
例えば、非周期的ＳＲＳリソースとの周期的ＳＲＳリソース衝突が発生した場合、トリガーされた非周期的ＳＲＳリソースは、周期的ＳＲＳリソースよりも優先度が高く、非周期的ＳＲＳリソースの構成によるＳＲＳ伝送を優先し、衝突した周期的ＳＲＳを破棄する。
【００８７】
任意選択で、ＳＲＳスケジューリングシグナリングが準持続的ＳＲＳを活性化する場合、目標ＳＲＳリソースにおいて、準持続的ＳＲＳ伝送を行う。
【００８８】
任意選択で、端末は、ネットワークデバイスにより送信された準持続的ＳＲＳ伝送の非活性化シグナリングを受信する場合、目標ＳＲＳリソースにおいてＳＲＳ伝送を停止する。
【００８９】
例えば、前記ＳＲＳリソースセットが４つのＳＲＳリソースを含み、そのうち１つのＳＲＳリソースの周期性が準持続性に構成される場合、端末は、このＳＲＳリソースセットの非活性化シグナリングを受信するまで、このＳＲＳリソースにおいてのみ活性化シグナリングに対応するＳＲＳを伝送する。
【００９０】
２５０において、目標ＳＲＳリソースセットにおいて、ネットワークデバイスが目標ＳＲＳリソースを決定し、目標ＳＲＳリソースの周期的な構成がＳＲＳスケジューリングシグナリングのタイプに対応する。
【００９１】
ここで、目標ＳＲＳリソースセットにおいて、ネットワークデバイスが目標ＳＲＳリソースを決定する方法は、端末側の説明を参照することができるので、ここで説明を省略する。
【００９２】
２６０において、目標ＳＲＳリソースにおいて、ネットワークデバイスがＳＲＳを受信する。
【００９３】
このように、本発明の実施例では、ＳＲＳリソースセットから選択されたＳＲＳ伝送の目標ＳＲＳリソースの周期的な構成が前記ＳＲＳスケジューリングシグナリングのタイプに対応することによって、一つのＳＲＳリソースセットで異なる周期的ＳＲＳ信号の伝送を柔軟にサポートできるようにすることができる。
【００９４】
図３は本願の実施例における端末３００の模式図である。図３に示すように、該端末３００は、通信ユニット３１０及び処理ユニット３１０を含み、
該通信ユニット３１０は、ネットワークデバイスにより送信されたサウンディング参照信号ＳＲＳスケジューリングシグナリングを受信するように構成され、
該処理ユニット３２０は、該ＳＲＳスケジューリングシグナリングに基づいて、目標ＳＲＳリソースセットから目標ＳＲＳリソースを決定するように構成され、該目標ＳＲＳリソースの周期的な構成が該ＳＲＳスケジューリングシグナリングのタイプに対応すし、
該通信ユニット３１０は、さらに、該目標ＳＲＳリソースにおいて、ＳＲＳを伝送するように構成される。
【００９５】
任意選択で、該通信ユニット３１０は、さらに、該ネットワークデバイスにより送信された構成情報を受信するように構成され、該構成情報は、該目標ＳＲＳリソースセットを構成するために用いられる。
【００９６】
任意選択で、該通信ユニット３１０は、さらに、
該ネットワークデバイスが無線リソース制御ＲＲＣシグナリングを介して送信した該構成情報を受信するように構成される。
【００９７】
任意選択で、該目標ＳＲＳリソースセットにおいて異なるＳＲＳリソースのパラメータは、
送信電力制御パラメータ、伝送帯域幅パラメータ、アンテナポート数、１つのスロット内に占める直交周波数分割多重ＯＦＤＭシンボル数、１つのスロット内での信号繰り返し数、機能構成、伝送スロットのうちの少なくとも１つが同じである。
【００９８】
任意選択で、該目標ＳＲＳリソースセットは、
周期的ＳＲＳ伝送のためのリソース、準持続的ＳＲＳ伝送のためのリソースおよび非周期的ＳＲＳ伝送のためのリソースのうちの少なくとも２つを含む。
【００９９】
任意選択で、該ＳＲＳスケジューリングシグナリングは、
非周期的ＳＲＳ伝送をトリガーするためのスケジューリングシグナリング、又は、準持続的ＳＲＳ伝送を活性化するためのスケジューリングシグナリングである。
【０１００】
任意選択で、該ＳＲＳスケジューリングシグナリングが非周期的ＳＲＳ伝送をトリガーするためのスケジューリングシグナリングである場合、該ＳＲＳスケジューリングシグナリングが下り制御情報ＤＣＩにより搬送され、又は、
該ＳＲＳスケジューリングシグナリングが準持続的ＳＲＳ伝送を活性化するためのスケジューリングシグナリングである場合、該ＳＲＳスケジューリングシグナリングがメディアアクセス制御ＭＡＣ制御ユニットＣＥにより搬送される。
【０１０１】
任意選択で、該ＳＲＳスケジューリングシグナリングが非周期的ＳＲＳ伝送をトリガーするためのスケジューリングシグナリングである場合、該目標ＳＲＳリソースが該目標ＳＲＳリソースセットの非周期的ＳＲＳ伝送のためのリソースであり、又は、該目標ＳＲＳリソースが該目標ＳＲＳリソースセットの非周期的ＳＲＳ伝送のためのリソース及び準持続的ＳＲＳ伝送のためのリソースである。
【０１０２】
任意選択で、該通信ユニット３１０は、さらに、
該目標ＳＲＳリソースにおいて、非周期的ＳＲＳ伝送を行うように構成される。
【０１０３】
任意選択で、該目標ＳＲＳリソースが非周期的ＳＲＳ伝送のためのリソースである場合、該目標ＳＲＳリソースにおいて、ＳＲＳを伝送することは、
該目標ＳＲＳリソースの時間領域リソースが周期的ＳＲＳ伝送のためのリソース又は準持続的ＳＲＳ伝送のためのリソースの時間領域リソースと重複し、又は、該目標ＳＲＳリソースの時間周波数リソースが周期的ＳＲＳ伝送のためのリソース又は準持続的ＳＲＳ伝送のためのリソースの時間周波数リソースと重複する場合、該端末は、該目標ＳＲＳリソースのパラメータ構成に応じて、重複するリソースにおいてＳＲＳ伝送を行うことを含む。
【０１０４】
任意選択で、該ＳＲＳスケジューリングシグナリングが準持続的ＳＲＳ伝送を活性化するためのスケジューリングシグナリングである場合、該目標ＳＲＳリソースが準持続的ＳＲＳ伝送のためのリソースであり、又は、該目標ＳＲＳリソースが非周期的ＳＲＳ伝送のためのリソース及び準持続的ＳＲＳ伝送のためのリソースである。
【０１０５】
任意選択で、該通信ユニット３１０は、さらに、
該目標ＳＲＳリソースにおいて、準持続的ＳＲＳ伝送を行うように構成される。
【０１０６】
任意選択で、該通信ユニット３１０は、さらに、
該ネットワークデバイスにより送信された準持続的ＳＲＳ伝送の非活性化シグナリングを受信する場合、該目標ＳＲＳリソースにおいてＳＲＳ伝送を停止するように構成される。
【０１０７】
任意選択で、該スケジューリングシグナリングは、該目標ＳＲＳリソースセットのＳＲＳリソースを利用してＳＲＳ伝送を行うように指示する。
【０１０８】
任意選択で、該スケジューリングシグナリングは、複数のＳＲＳリソースセットのＳＲＳリソースを利用してＳＲＳ伝送を行うように指示し、該複数のＳＲＳリソースセットが該目標ＳＲＳリソースセットを含む。
【０１０９】
なお、本願の実施例による端末３００は、本発明の方法の実施例による端末に対応することができ、端末３００の各ユニットの上記及び他の動作及び/又は機能は、それぞれ方法２００における端末の対応するフローを実施するために、簡潔のために、ここで説明を省略する。
【０１１０】
図４は本願の実施例におけるネットワークデバイス４００のブロック図であり、該ネットワークデバイス４００は、通信ユニット４１０及び処理ユニット４２０を含み、
該通信ユニット４１０は、端末にサウンディング参照信号ＳＲＳスケジューリングシグナリングを送信するように構成され、
該処理ユニット４２０は、目標ＳＲＳリソースセットから目標ＳＲＳリソースを決定するように構成され、該目標ＳＲＳリソースの周期的な構成が該ＳＲＳスケジューリングシグナリングのタイプに対応し、
該通信ユニット４１０は、さらに、該目標ＳＲＳリソースにおいて、ＳＲＳを受信するように構成される。
【０１１１】
任意選択で、該通信ユニット４１０は、さらに、
該端末に構成情報を送信するように構成され、該構成情報は、該目標ＳＲＳリソースセットを構成するために用いられる。
【０１１２】
任意選択で、該目標ＳＲＳリソースセットにおいて異なるＳＲＳリソースに含まれるパラメータは、
送信電力制御パラメータ、伝送帯域幅パラメータ、アンテナポート数、１つのスロット内に占める直交周波数分割多重ＯＦＤＭシンボル数、１つのスロット内での信号繰り返し数、機能構成、伝送スロットのうちの少なくとも１つが同じである。
【０１１３】
任意選択で、該目標ＳＲＳリソースセットは、
周期的ＳＲＳ伝送のためのリソース、準持続的ＳＲＳ伝送のためのリソースおよび非周期的ＳＲＳ伝送のためのリソースのうちの少なくとも２つを含む。
【０１１４】
任意選択で、該ＳＲＳスケジューリングシグナリングが非周期的ＳＲＳ伝送をトリガーするためのスケジューリングシグナリングである場合、該目標ＳＲＳリソースが該目標ＳＲＳリソースセットの非周期的ＳＲＳ伝送のためのリソースであり、又は、該目標ＳＲＳリソースが該目標ＳＲＳリソースセットの非周期的ＳＲＳ伝送のためのリソース及び準持続的ＳＲＳ伝送のためのリソースである。
【０１１５】
任意選択で、該ＳＲＳスケジューリングシグナリングが準持続的ＳＲＳ伝送を活性化するためのスケジューリングシグナリングである場合、該目標ＳＲＳリソースが準持続的ＳＲＳ伝送のためのリソースであり、又は、該目標ＳＲＳリソースが非周期的ＳＲＳ伝送のためのリソース及び準持続的ＳＲＳ伝送のためのリソースである。
【０１１６】
なお、本発明の実施例に係るネットワークデバイス４００は、本発明の方法の実施例におけるネットワークデバイスに対応することができ、ネットワークデバイス４００の各ユニットの上述の及び他の動作及び/又は機能は、図２に示す方法２００におけるネットワークデバイスの対応するフローをそれぞれ実現するために、簡潔のためにここで説明を省略する。
【０１１７】
図５は、本発明の実施例に係るシステムチップ６００の概略構成図である。図５のシステムチップ６００は、入力インターフェース６０１、出力インターフェース６０２、メモリ６０４内のコードを実行するプロセッサ６０３、及びメモリ６０４を含み、それらの間を内部通信接続線によって接続することができる。
【０１１８】
任意選択で、コードが実行されると、プロセッサ６０３は、方法の実施例において端末デバイスによって実行される方法を実施する。簡潔にするために、ここで説明を省略する。
【０１１９】
任意選択で、コードが実行されると、プロセッサ６０３は、方法の実施例においてネットワークによって実行される方法を実施する。簡潔にするために、ここで説明を省略する。
【０１２０】
図６は、本発明の実施例による通信デバイス７００の概略ブロック図である。図６に示すように、通信デバイス７００は、プロセッサ７１０とメモリ７２０とを含む。メモリ７２０は、プロセッサ７１０がメモリ７２０に記憶されたプログラムコードを実行することができるプログラムコードを記憶することができる。
【０１２１】
任意選択で、図６に示すように、通信デバイス７００は、プロセッサ７１０が外部と通信するように制御することができる送受信機７３０を含んでもよい。
【０１２２】
任意選択で、プロセッサ７１０は、メモリ７２０に記憶されたプログラムコードを呼び出して、方法の実施形態における端末デバイスの対応する動作を実行してもよく、簡潔のためにここで説明を省略する。
【０１２３】
任意選択で、このプロセッサ７１０は、メモリ７２０に記憶されたプログラムコードを呼び出して、方法の実施例におけるネットワークデバイスの対応する動作を実行してもよく、簡潔のためにここでは説明を省略する。
【０１２４】
本願の実施形態のプロセッサは、信号の処理能力を有する集積回路チップであり得ることが理解される。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ(  Ｄｉｇｉｔａｌ  Ｓｉｇｎａｌ  Ｐｒｏｃｅｓｓｏｒ、ＤＳＰ  )、特定用途向け集積回路(  Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ  )、既存のプログラマブルゲートアレイ(  Ｆｉｅｌｄ  Ｐｒｏｇｒａｍｍａｂｌｅ  Ｇａｔｅ  Ａｒｒａｙ、ＦＰＧＡ)又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１２５】
本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ(  Ｒｅａｄ-Ｏｎｌｙ  Ｍｅｍｏｒｙ、ＲＯＭ  )、プログラマブルリードオンリーメモリ(  Ｐｒｏｇｒａｍｍａｂｌｅ  ＲＯＭ、ＰＲＯＭ  )、消去可能プログラマブルリードオンリーメモリ(  Ｅｒａｓａｂｌｅ  ＰＲＯＭ、ＥＰＲＯＭ  )、電気的消去可能プログラマブルリードオンリーメモリ(  Ｅｌｅｃｔｒｉｃａｌｌｙ  ＥＰＲＯＭ、ＥＥＰＲＯＭ  )、またはフラッシュメモリであってもよい。揮発性メモリは、外部キャッシュとして使用されるランダムアクセスメモリ(  Ｒａｎｄｏｍ  Ａｃｃｅｓｓ  Ｍｅｍｏｒｙ、ＲＡＭ  )であってよい。限定ではなく例として、RAMは、スタティックランダムアクセスメモリ(  Ｓｔａｔｉｃ  ＲＡＭ、ＳＲＡＭ  )、ダイナミックランダムアクセスメモリ(  Ｄｙｎａｍｉｃ  ＲＡＭ、ＤＲＡＭ  )、シンクロナスダイナミックランダムアクセスメモリ(  Ｓｙｎｃｈｒｏｎｏｕｓ  ＤＲＡＭ、ＳＤＲＡＭ  )、ダブルデータレートシンクロナスダイナミックランダムアクセスメモリ(  Ｄｏｕｂｌｅ  Ｄａｔａ  Ｒａｔｅ  ＳＤＲＡＭ、ＤＤＲ  ＳＤＲＡＭ  )、エンハンスメント型シンクロナスダイナミックランダムアクセスメモリ(  Ｅｎｈａｎｃｅｄ  ＳＤＲＡＭ、ＥＳＤＲＡＭ  )、シンクロナス接続ダイナミックランダムアクセスメモリ(  Ｓｙｎｃｈｌｉｎｋ  ＤＲＡＭ、ＳＬＤＲＡＭ  )、及びダイレクトメモリバスランダムアクセスメモリ(  Ｄｉｒｅｃｔ  Ｒａｍｂｕｓ  ＲＡＭ、ＤＲ  ＲＡＭ  )など、多くの形態で利用可能である。本明細書に記載のシステム及び方法のメモリは、これら及び任意の他の適切なタイプのメモリを含むことが意図されているが、これらに限定されないことに留意されたい。
【０１２６】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１２７】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【０１２８】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１２９】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０１３０】
また、本発明の各実施例における各機能部は、１つの処理部に集積されてもよく、各部は、物理的に別個に存在してもよく、２つ以上の部が１つの部に集積されてもよい。
【０１３１】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。なお、前記記憶媒体としては、U-ディスク、リムーバブルハードディスク、Ｒｅａｄ-Ｏｎｌｙ  Ｍｅｍｏｒｙ、ＲＯＭ、ＲＡＭ、磁気ディスク、光ディスク等のプログラムコードを記憶できる種々の媒体を用いることができる。
【０１３２】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021512524.tif 000003
【図２】
2021512524.tif 000004
【図３】
2021512524.tif 000005
【図４】
2021512524.tif 000006
【図５】
2021512524.tif 000007
【図６】
2021512524.tif 000008
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
端末がネットワークデバイスにより送信されたサウンディング参照信号ＳＲＳスケジューリングシグナリングを受信することと、
前記ＳＲＳスケジューリングシグナリングに基づいて、目標ＳＲＳリソースセットから目標ＳＲＳリソースを決定することと、
前記目標ＳＲＳリソースにおいてＳＲＳを伝送することとを含み、
前記目標ＳＲＳリソースの周期的な構成が前記ＳＲＳスケジューリングシグナリングのタイプに対応する
ことを特徴とする無線通信方法。
【請求項２】
前記目標ＳＲＳリソースセットは、
周期的ＳＲＳ伝送のためのリソース、準持続的ＳＲＳ伝送のためのリソース、及び非周期的ＳＲＳ伝送のためのリソースのうちの少なくとも２つを含む
ことを特徴とする請求項１に記載の無線通信方法。
【請求項３】
前記ＳＲＳスケジューリングシグナリングは、
非周期的ＳＲＳ伝送をトリガーするためのスケジューリングシグナリング、又は、準持続的ＳＲＳ伝送を活性化するためのスケジューリングシグナリングである
ことを特徴とする請求項１〜２のいずれか１項に記載の無線通信方法。
【請求項４】
前記ＳＲＳスケジューリングシグナリングが非周期的ＳＲＳ伝送をトリガーするためのスケジューリングシグナリングである場合、前記目標ＳＲＳリソースが前記目標ＳＲＳリソースセットの非周期的ＳＲＳ伝送のためのリソースであり、又は、前記目標ＳＲＳリソースが前記目標ＳＲＳリソースセットの非周期的ＳＲＳ伝送のためのリソース及び準持続的ＳＲＳ伝送のためのリソースである
ことを特徴とする請求項１〜３のいずれか１項に記載の無線通信方法。
【請求項５】
前記目標ＳＲＳリソースにおいてＳＲＳを伝送することは、
前記目標ＳＲＳリソースにおいて非周期的ＳＲＳ伝送を行うことを含む
ことを特徴とする請求項４に記載の無線通信方法。
【請求項６】
前記目標ＳＲＳリソースが非周期的ＳＲＳ伝送のためのリソースである場合、前記目標ＳＲＳリソースにおいてＳＲＳを伝送することは、
前記目標ＳＲＳリソースの時間領域リソースが周期的ＳＲＳ伝送のためのリソース又は準持続的ＳＲＳ伝送のためのリソースの時間領域リソースと重複し、又は、前記目標ＳＲＳリソースの時間周波数リソースが周期的ＳＲＳ伝送のためのリソース又は準持続的ＳＲＳ伝送のためのリソースの時間周波数リソースと重複する場合、前記端末が前記目標ＳＲＳリソースのパラメータ構成に応じて、重複するリソースにおいてＳＲＳ伝送を行うことを含む
ことを特徴とする請求項４に記載の無線通信方法。
【請求項７】
前記ＳＲＳスケジューリングシグナリングが準持続的ＳＲＳ伝送を活性化するためのスケジューリングシグナリングである場合、前記目標ＳＲＳリソースが準持続的ＳＲＳ伝送のためのリソースであり、又は、前記目標ＳＲＳリソースが非周期的ＳＲＳ伝送のためのリソース及び準持続的ＳＲＳ伝送のためのリソースである
ことを特徴とする請求項１〜３のいずれか１項に記載の無線通信方法。
【請求項８】
前記目標ＳＲＳリソースにおいてＳＲＳを伝送することは、
前記目標ＳＲＳリソースにおいて準持続的ＳＲＳ伝送を行うことを含む
ことを特徴とする請求項７に記載の無線通信方法。
【請求項９】
通信ユニットと、処理ユニットと、を備える端末であって、
前記通信ユニットは、ネットワークデバイスにより送信されたサウンディング参照信号ＳＲＳスケジューリングシグナリングを受信するように構成され、
前記処理ユニットは、前記ＳＲＳスケジューリングシグナリングに基づいて、目標ＳＲＳリソースセットから目標ＳＲＳリソースを決定するように構成され、前記目標ＳＲＳリソースの周期的な構成が前記ＳＲＳスケジューリングシグナリングのタイプに対応し、
前記通信ユニットは、さらに、前記目標ＳＲＳリソースにおいてＳＲＳを伝送するように構成される
ことを特徴とする端末。
【請求項１０】
前記目標ＳＲＳリソースセットは、
周期的ＳＲＳ伝送のためのリソース、準持続的ＳＲＳ伝送のためのリソースおよび非周期的ＳＲＳ伝送のためのリソースのうちの少なくとも２つを含む
ことを特徴とする請求項９に記載の端末。
【請求項１１】
前記ＳＲＳスケジューリングシグナリングは、
非周期的ＳＲＳ伝送をトリガーするためのスケジューリングシグナリング、又は、準持続的ＳＲＳ伝送を活性化するためのスケジューリングシグナリングである
ことを特徴とする請求項９〜１０のいずれか１項に記載の端末。
【請求項１２】
前記ＳＲＳスケジューリングシグナリングが非周期的ＳＲＳ伝送をトリガーするためのスケジューリングシグナリングである場合、前記目標ＳＲＳリソースが前記目標ＳＲＳリソースセットの非周期的ＳＲＳ伝送のためのリソースであり、又は、前記目標ＳＲＳリソースが前記目標ＳＲＳリソースセットの非周期的ＳＲＳ伝送のためのリソース及び準持続的ＳＲＳ伝送のためのリソースである
ことを特徴とする請求項９〜１１のいずれか１項に記載の端末。
【請求項１３】
前記通信ユニットは、さらに、
前記目標ＳＲＳリソースにおいて非周期的ＳＲＳ伝送を行うように構成される
ことを特徴とする請求項１２に記載の端末。
【請求項１４】
前記目標ＳＲＳリソースが非周期的ＳＲＳ伝送のためのリソースである場合、前記目標ＳＲＳリソースにおいてＳＲＳを伝送することは、
前記目標ＳＲＳリソースの時間領域リソースが周期的ＳＲＳ伝送のためのリソース又は準持続的ＳＲＳ伝送のためのリソースの時間領域リソースと重複し、又は、前記目標ＳＲＳリソースの時間周波数リソースが周期的ＳＲＳ伝送のためのリソース又は準持続的ＳＲＳ伝送のためのリソースの時間周波数リソースと重複する場合、前記端末が前記目標ＳＲＳリソースのパラメータ構成に応じて、重複するリソースにおいてＳＲＳ伝送を行うことを含む
ことを特徴とする請求項１２に記載の端末。
【請求項１５】
前記ＳＲＳスケジューリングシグナリングが準持続的ＳＲＳ伝送を活性化するためのスケジューリングシグナリングである場合、前記目標ＳＲＳリソースが準持続的ＳＲＳ伝送のためのリソースであり、又は、前記目標ＳＲＳリソースが非周期的ＳＲＳ伝送のためのリソース及び準持続的ＳＲＳ伝送のためのリソースである
ことを特徴とする請求項９〜１１のいずれか１項に記載の端末。
【国際調査報告】
2021512524.tif 000009
2021512524.tif 000010
2021512524.tif 000011
2021512524.tif 000012
2021512524.tif 000013